(57)【要約】      （修正有）【課題】家屋の外壁工事をするときに、室外機の変形を防止するとともに足を滑らせるのを防止して安全に作業をするための、エアコン室外機用保護板を提供する。【解決手段】平面視が略長方形の平板で厚さ方向の一方の面である第１面１６と第１面の反対側の面である第２面１７とを有する樹脂製の天板１１と、第２面から垂直に突出し、第２面に沿って一の方向に延在する樹脂製の複数の第１リブ１３と、第２面から垂直に突出し、第２面に沿って一の方向と交差する方向に延在する樹脂製の複数の第２リブ１４と、を有し、ゴム製の滑り止め部材１５が、第１面の反対側で第１リブ及び／又は第２リブの先端部に沿って固定されているエアコン室外機用保護板。【選択図】図１
0003235065.tif 000002
【実用新案登録請求の範囲】
【請求項１】
平面視が略長方形の平板で厚さ方向の一方の面である第１面と前記第１面の反対側の面である第２面とを有する樹脂製の天板と、
前記第２面から垂直に突出し、前記第２面に沿って一の方向に延在する樹脂製の複数の第１リブと、
前記第２面から垂直に突出し、前記第２面に沿って前記一の方向と交差する方向に延在する樹脂製の複数の第２リブと、を有し、
ゴム製の滑り止め部材が、前記第１面の反対側で前記第１リブ及び／又は前記第２リブの先端部に沿って固定されていることを特徴とするエアコン室外機用保護板。
【請求項２】
前記滑り止め部材が、前記第１面の反対側で少なくとも前記天板の隅部に対応する位置に固定されていることを特徴とする請求項１に記載するエアコン室外機用保護板。
【請求項３】
前記第１リブ及び／又は前記第２リブは、先端部から前記天板と垂直方向に延在する切込みを有しており、
前記滑り止め部材は、前記天板と平行な底板部と前記底板部から垂直に突出する立板部とを有しており、前記立板部が前記切込みに嵌め合わされて、前記底板部が前記第１リブ及び／又は前記第２リブの先端部に沿って固定されていることを特徴とする請求項１又は２に記載するエアコン室外機用保護板。
【請求項４】
前記第１面に多数の凹凸を形成することにより滑り止め加工が施されていることを特徴とする請求項１から３のいずれか一項に記載するエアコン室外機用保護板。
【考案の詳細な説明】
【技術分野】
【０００１】
本考案は、外壁工事中に、屋外に設置したエアコン室外機の変形を防止する保護板に関する。
【背景技術】
【０００２】
家屋を建築、補修する工程では、外壁を塗装したり屋外電灯を取付ける等の外壁工事を行う場合がある。通常、１階部分の外壁の高さは概ね２〜３メートルである。作業をする人の身長は１６０〜１８０センチメートルであり、壁面の上部に塗装等の作業をするときにはその箇所に届かないため、足場を組む必要がある。しかし、隣接する敷地の家屋が接近している等により、足場の設置が難しい場合には、脚立が使用される。
このとき、脚立の設置場所が、凹凸を有していたり、軟地盤であったり、また、設置するスペースが狭い場合には、脚立を安定して設置できず作業がしにくい場合がある。このため、特許文献１や特許文献２では、脚立を三脚にしたり、足の長さを変える等によって外壁工事中に安定した足場を確保する手段が開示されている。
【先行技術文献】
【特許文献】
【０００３】
【特許文献１】実開昭５９−１９４４９８号公報
【特許文献２】実開平０７−４８００号公報
【考案の概要】
【考案が解決しようとする課題】
【０００４】
しかしながら戸建て住宅では、隣接する家屋が接近していて通路が狭く、更に、当該通路にエアコンディショナー（以下「エアコン」)の室外機が設置されている場合が多い。この場合には、特許文献１や２に記載された脚立を使用したとしても、室外機の近傍に脚立を設置できるにすぎない。このため、室外機の上方で作業をするときは、脚立から体を乗り出して作業しなければならず、バランスを崩して思わず室外機の上に足を載せることがある。しかし、室外機の外板が板厚の薄い鋼板で製造されているため、足を載せると、体の重みで外板を変形させてしまう恐れがある。
更に、室外機の上で足を滑らせて怪我をする恐れもあり、家屋の外壁の近くにエアコンの室外機が設置されているときには、外壁工事を安全に行うことが困難である。
【０００５】
上記の事情に鑑み、本考案は、家屋の外壁の近くにエアコンの室外機が設置されている状態で外壁工事をするときに、室外機の変形を防止するとともに安全に作業をすることを目的としている。
【課題を解決するための手段】
【０００６】
本考案の第１の形態は、平面視が略長方形の平板で厚さ方向の一方の面である第１面と前記第１面の反対側の面である第２面とを有する樹脂製の天板と、前記第２面から垂直に突出し、前記第２面に沿って一の方向に延在する樹脂製の複数の第１リブと、前記第２面から垂直に突出し、前記第２面に沿って前記一の方向と交差する方向に延在する樹脂製の複数の第２リブと、を有し、ゴム製の滑り止め部材が、前記第１面の反対側で前記第１リブ及び／又は前記第２リブの先端部に沿って固定されていることを特徴とするエアコン室外機用保護板である。
【０００７】
本考案の第２の形態は、前記第１の形態のエアコン室外機用保護板において、前記滑り止め部材が、前記第１面の反対側で少なくとも前記天板の隅部に対応する位置に固定されていることを特徴としている。
【０００８】
本考案の第３の形態は、前記第１又は第２の形態のエアコン室外機用保護板であって、前記第１リブ及び／又は前記第２リブは、先端部から前記天板と垂直方向に延在する切込みを有しており、前記滑り止め部材は、前記天板と平行な底板部と前記底板部から垂直に突出する立板部とを有しており、前記立板部が前記切込みに嵌め合わされて、前記底板部が前記第１リブ及び／又は前記第２リブの先端部に沿って固定されていることを特徴としている。
【０００９】
本考案の第４の形態は、前記第１〜第３のうちいずれか一の形態のエアコン室外機用保護板において、前記第１面に多数の凹凸を形成することにより滑り止め加工が施されていることを特徴としている。
【考案の効果】
【００１０】
本考案にかかるエアコン室外機用保護板を使用すると、家屋の外壁の近くにエアコンの室外機が設置されている状態で外壁工事をするときに、室外機の上にやむを得ず足を載せた場合であっても室外機の変形を防止することができる。更に、室外機の上で保護板の横滑りを防止するとともに、保護板の上で足を滑らせるのを防止できるので、安全に外壁工事を行うことができる。
【図面の簡単な説明】
【００１１】
【図１】本実施形態のエアコン室外機用保護板の斜視図である。
【図２】本実施形態のエアコン室外機用保護板を下方から見た下面図である。
【図３】他の実施形態であるエアコン室外機用保護板の下面図である。
【図４】本実施形態の各リブの形態を説明する部分断面図である。
【考案を実施するための形態】
【００１２】
本考案の一の実施形態（以下「本実施形態」）を図を用いて詳細に説明する。本実施形態のエアコン室外機用保護板（以下、単に「保護板」という）１０は、家屋の外壁の近くにエアコンの室外機が設置されている状態で外壁工事をするときに、あらかじめ室外機の上に載せておく保護板である。
【００１３】
図１は、本実施形態の保護板１０の斜視図である。
保護板１０は、天板１１と、側面カバー１２と、複数の第１リブ１３と、複数の第２リブ１４と、複数の滑り止め部材１５と、を備えている。図１では、内部構造について理解を容易にするため、天板１１と側面カバー１２の一部を取り除いた形態を示している。なお、図１に示すように、天板１１の厚さ方向で矢印で示す向きをそれぞれ上方、下方として説明する。また、天板１１の長辺と平行な方向を長辺方向、天板１１の短辺と平行な方向を短辺方向という場合がある。
【００１４】
保護板１０は、溶融したポリエチレン樹脂を金型内に射出成形することによって、天板１１と、側面カバー１２と、複数の第１リブ１３と、複数の第２リブ１４とが一体に成形されている。なお、使用する樹脂材料としては、ポリエチレンの他、塩化ビニル、ポリプロピレンなど汎用の樹脂材料を種々選択できる。
【００１５】
天板１１は、上方から見た平面視の形状が略長方形で、厚さが１〜５ｍｍ程度の平板である。天板１１の長辺の長さは、６５〜８３センチメートル、短辺の長さは、２３〜３１センチメートル程度である。なお、天板１１の大きさはこれに限定されるものではない。長辺及び短辺の長さは、室外機の上面の大きさと同等もしくはそれ以下の大きさとなっており、室外機の上に、はみ出ることなく載せることができる。
図１の上方の第１面１６には、ほぼ全面にわたって、高さが０．５ｍｍから２ｍｍ程度の多数の小さな突起が形成されている。こうして、多数の凹凸を形成して滑り止め加工が施されることによって、後述するように保護板１０の上に思わず足を載せたときに足を滑らせる等の事故を防止できる。なお、第１面１６の凹凸の形態は、互いに平行又は交差する複数の線状の突起で形成されていてもよく、種々の形態で形成することができる。
【００１６】
側面カバー１２は、天板１１の四方の外周から略直角に折れ曲がって、それぞれ下方に向けて延在している。側面カバー１２は、第１リブ１３及び第２リブ１４が外部から見えないようにカバーする保護部材である。また、側面カバー１２の厚さは、天板１１とほぼ同等である。
【００１７】
図２は、本実施形態の保護板１０を下方から見た形態を示している。図２に示すように、天板１１の第１面１６に対して反対側の面である第２面１７に、複数の第１リブ１３と複数の第２リブ１４が形成されている。第１リブ１３、及び、第２リブ１４は、互に交差する方向に延在しており、それぞれ等しい間隔で配置されている。
【００１８】
図４（ａ）〜（ｃ）は、各リブ１３、１４の形態、及び滑り止め部材１５の形態を説明する部分断面図である。図４（ａ）は、図４（ｂ）におけるＡＡの位置において矢印の向きに見た断面図である。図４（ｂ）は、図４（ａ）におけるＢＢの位置において矢印の向きに見た断面図である。図４（ｃ）は、図４（ａ）におけるＣＣの位置において矢印の向きに見た断面図である。なお、図４（ａ）〜（ｃ）は、天板１１の隅部における各リブ１３、１４の形態を例示しているが、その他の位置においても各リブ１３、１４の形態は同様である。
第１リブ１３及び第２リブ１４は、いずれも天板１１の第２面１７から垂直に下方に向けて突出し、第２面１７に沿って互いに交差する方向に延在している。各リブ１３、１４の延在する方向の両端部は、それぞれ側面カバー１２とつながっている。
各リブ１３、１４の高さは互いに同等である。本実施形態では、各リブ１３、１４の先端部の位置は、側面カバー１２の下方の端部の位置とほぼ同等であるが、これに限定されず、各リブ１３、１４の先端部に取り付けた滑り止め部材１５が、側面カバー１２より下方に突出するように形成されていればよい。
【００１９】
図２と図４を参照しつつ滑り止め部材１５について説明する。滑り止め部材１５は、底板部１８と、底板部１８の中央から垂直に突出する立板部１９とが一体に組み合わされた形態である。滑り止め部材１５は、天然ゴムを金型内で加硫成形することによって、所定の形状に一体に成形されている。なお、ゴムの材質は、これに限定されるものではない。
滑り止め部材１５は、保護板１０の下方で、天板１１の隅部に対応する位置に、第１リブ１３及び／又は第２リブ１４の先端部に沿って固定されている。隅部とは、天板１１の頂点（天板１１の長辺と短辺とが交わる４か所の点）の近傍の領域をいう。
【００２０】
図４に示すように、第１リブ１３に切込み２０が形成されている。切込み２０は、互いに隣り合う２本の第２リブ１４の中央の位置で、第１リブ１３の先端部に形成されており、第１リブ１３の先端部から基端部に向けて天板１１と垂直方向に延在している。切込み２０の開口側端部から底部までの深さＨ０は、滑り止め部材１５の立板部１９の長さＨ１よりわずかに大きい。また、切込み２０の幅寸法Ｗ０は、立板部１９の幅寸法Ｗ１よりわずかに小さい。こうすることにより、立板部１９が切込み２０に締め代をもって嵌め合わされるので、滑り止め部材１５が容易に脱落しないように第１リブ１３に一体に組付けられる。
こうして、本実施形態の保護板１０では、天板１１の隅部に対応する位置において、第１面１６の反対側で第１リブ１３及び／又は第２リブ１４の先端部に沿ってゴム製の滑り止め部材１５を簡便に固定することができる。
【００２１】
次に、この保護板１０の使い方について説明する。
保護板１０は、家屋の外壁の近くにエアコンの室外機が設置されている状態で外壁工事をするときに、あらかじめ室外機の上に載せて使用する。
保護板１０は、エアコン室外機の上面の大きさと同等もしくはそれ以下の大きさであり、滑り止め部材１５が天板１１の隅部に対応する位置に設けられているので、室外機の上に載せたときに、滑り止め部材１５が室外機の上面と確実に接触する。
外壁工事をするときに室外機の上方で作業をする場合には、通常、脚立を室外機の近くに寄せて、脚立から体を乗り出して作業をする。このため、バランスを崩し、思わず室外機の上に足を載せることがある。このような場合であっても、滑り止め部材１５が室外機の上面と確実に接触しているので、保護板１０の横滑りを防止できる。更に、天板１１の第１面１６には滑り止め加工が施されているので、保護板１０の上で足を滑らせることもない。
【００２２】
また、本実施形態の保護板１０では、第１リブ１３と第２リブ１４とが互いに交差する方向に形成されている。これによって、任意の方向の曲げ荷重を支持することができるので、保護板１０を軽量化するとともに、高い曲げ強度を維持することができる。このため、保護板１０の両端を支持して中央に荷重を負荷したときに保護板１０のたわみを抑制できる。
【００２３】
こうして、本実施形態の保護板１０は、十分な曲げ強度を有しているので、家屋の外壁の近くにエアコンの室外機が設置されている状態で外壁工事をするときに、室外機の上にやむを得ず足を載せた場合であっても、室外機の変形や損傷を防ぎ、安全に外壁工事をすることができる。更に、室外機の上に作業用具が落下した場合においても、室外機の損傷を防ぐことができる。
【００２４】
以上本考案の実施形態を説明したが、これらの説明した内容は例示であり、これらの内容に限定するものではなく、考案の目的の範囲内で種々の変更が可能である。
例えば、本実施形態では、滑り止め部材１５の立板部１９は、短辺側の側面カバー１２から第１番目と第２番目の２か所の第１リブ１３で保持されている。保持する位置はこれに限定されるものではなく、第３番目、第４番目・・・の各第１リブ１３に同様の切込み２０を設け、長辺方向に更に延在する滑り止め部材１５を使用してもよい。また、図２に示すように、天板１１の中央に更に他の滑り止め部材２１を設置してもよいし、図示を省略するが、滑り止め部材１５、２１を保護板１０の下方の全面に設置してもよい。
【００２５】
また、上記の実施形態では立板部１９が底板部１８の中央に形成されている。これに対し、図示を省略するが、立板部１９が、底板部１８の中心から一方に位置ずれした位置に形成されていてもよい。更に、底板部１８の端まで位置ずれして、断面がＬ字状であってもよい。また、上記の実施形態では切込み２０が各リブ１３、１４に形成されているが、同様の切込みが滑り止め部材１５に形成され、各リブ１３、１４の切込み２０をなくしてもよい。
【００２６】
また、滑り止め部材１５を各リブ１３、１４の先端部に固定するにあたり、各リブ１３、１４に切欠きを設けず、かつ、滑り止め部材１５を、立板部１９を有さない平板状のゴム板で形成して、互いに接着剤で貼り合わせて固定することもできる。
【００２７】
また、図３に示すように、第１リブ１３及び第２リブ１４の延在する方向が、天板１１の長辺方向及び短辺方向に対して傾いて形成され、かつ、互いに交差するように形成されていてもよい。また、上記実施形態ではいずれも第１リブ１３と第２リブ１４とが直交する形態（９０°で交わる形態）を示しているが、９０°以外の角度で交差してもよい。
【符号の説明】
【００２８】
１０：保護板、１１：天板、１２：側面カバー、１３：第１リブ、１４：第２リブ、１５：滑り止め部材、１６：第１面、１７：第２面、１８：底板部、１９：立板部、２０：切込み、２１：滑り止め部材
【図１】
0003235065.tif 000003
【図２】
0003235065.tif 000004
【図３】
0003235065.tif 000005
【図４】
0003235065.tif 000006